(57)【要約】【課題】定期券の発行処理を効率化することができる定期券発行管理装置、発券機、定期券発行システム、及び定期券発行方法を提供することである。【解決手段】定期券発行管理装置は、第１通信部と、問い合わせ部と、コード生成部と、を持つ。問い合わせ部は、定期券の申込者から取得した申込情報と対応する所属組織側管理装置に対して、前記申込情報の少なくとも一部を前記第１通信部に送信させ、前記送信した情報の照合結果を、前記第１通信部を介して前記所属組織側管理装置から取得する。コード生成部は、前記問い合わせ部によって取得された照合結果に基づいて、前記申込情報の少なくとも一部に基づく内容の定期券であって、発券機に翳すことで前記定期券が発券されるコードを表示するための情報を生成する。【選択図】図２
2020067745.tif 000002
【特許請求の範囲】
【請求項１】
第１通信部と、
定期券の申込者から取得した申込情報と対応する所属組織側管理装置に対して、前記申込情報の少なくとも一部を前記第１通信部に送信させ、前記送信した情報の照合結果を、前記第１通信部を介して前記所属組織側管理装置から取得する問い合わせ部と、
前記問い合わせ部によって取得された照合結果に基づいて、前記申込情報の少なくとも一部に基づく内容の定期券であって、発券機に翳すことで前記定期券が発券されるコードを表示するための情報を生成するコード生成部と、
を備える定期券発行管理装置。
【請求項２】
請求項１に記載の定期券発行管理装置によって生成された前記情報に基づく前記コードを光学的に読み取る光学読取部と、
前記光学読取部によって読み取られた前記コードの内容に基づいて、発行部に定期券を発行させる発行制御部と、
を備える発券機。
【請求項３】
前記所属組織は、学校であり、
前記定期券は、通学定期券である、
請求項１に記載の定期券発行管理装置。
【請求項４】
請求項１又は３に記載の定期券発行管理装置と、
第２通信部、前記所属組織の所属者の情報を記憶する記憶部、及び、前記第２通信部が前記定期券発行管理装置から受信した前記申込情報の少なくとも一部と、前記記憶部に記憶された情報とを照合し、照合結果を、前記第２通信部を制御して前記定期券発行管理装置に送信する照合部を有する前記所属組織側管理装置と、
を備える定期券発行システム。
【請求項５】
前記コードを光学的に読み取る光学読取部と、
前記光学読取部によって読み取られた前記コードの内容に基づいて、発行部に前記定期券を発行させる発行制御部と、
を有する発券機を更に備える請求項４に記載の定期券発行システム。
【請求項６】
前記コード生成部は、所属組織の識別情報と、前記所属組織の最寄り駅を示す情報とが互いに対応付けられた所属組織情報データベースと、住所と前記住所の最寄り駅を示す情報とが互いに対応付けられた住所情報データベースと、を参照し、前記申込情報に含まれる所属組織の識別情報に対応付けられた前記所属組織の最寄り駅と、前記申込情報に含まれる前記申込者の住所に対応付けられた前記住所の最寄り駅と、に基づく定期券を発行するための前記コードを表示するための前記情報を生成する
請求項４又は請求項５に記載の定期券発行システム。
【請求項７】
定期券発行管理装置と、少なくとも１つの所属組織側管理装置と、を有する定期券発行システムによる定期券発行方法であって、
定期券発行管理装置が、定期券の申込者から取得した申込情報と対応する所属組織側管理装置に対して、前記申込情報の少なくとも一部を送信し、
所属組織側管理装置が、前記定期券発行管理装置から受信した前記申込情報の少なくとも一部と、自装置が記憶する前記所属組織の所属者の情報とを照合し、照合結果を前記定期券発行管理装置に送信し、
定期券発行管理装置が、前記照合結果に基づいて、前記申込情報の少なくとも一部に基づく内容の定期券であって、発券機に翳すことで前記定期券が発券されるコードを表示するための情報を生成する
定期券発行方法。
【発明の詳細な説明】
【技術分野】
【０００１】
本発明の実施形態は、定期券発行管理装置、発券機、定期券発行システム、及び定期券発行方法に関する。
【背景技術】
【０００２】
通学定期券の購入の際に、学生、生徒、又は児童（以下、「学生等」という。）は、通学証明書等を駅員に対して提示する必要がある。これにより、通学定期券の購入のために必要となる情報（例えば、学生等の氏名、住所、及び所属する学校等）についての証明がなされる。ところで、通学定期券の購入需要が増加しやすい春先等には、通学定期券を購入するために多数の学生が駅の窓口に押し寄せる場合がある。この結果、駅の窓口に多数の人が列をなし、駅構内が混雑したり、駅員の業務が通常よりも逼迫したりすることで、通学定期券をスムーズに購入することができない場合があった。
【先行技術文献】
【特許文献】
【０００３】
【特許文献１】特開２０１３−１６１１７０号公報
【特許文献２】特開２０１３−１５２６５１号公報
【特許文献３】特開２０１６−１７０５０５号公報
【特許文献４】特開２００８−０８４１６２号公報
【特許文献５】特開２００１−３５７４１７号公報
【特許文献６】特開２０１５−１９１４６８号公報
【発明の概要】
【発明が解決しようとする課題】
【０００４】
本発明が解決しようとする課題は、定期券の発行処理を効率化することができる定期券発行管理装置、発券機、定期券発行システム、及び定期券発行方法を提供することである。
【課題を解決するための手段】
【０００５】
実施形態の定期券発行管理装置は、第１通信部と、問い合わせ部と、コード生成部と、を持つ。問い合わせ部は、定期券の申込者から取得した申込情報と対応する所属組織側管理装置に対して、前記申込情報の少なくとも一部を前記第１通信部に送信させ、前記送信した情報の照合結果を、前記第１通信部を介して前記所属組織側管理装置から取得する。コード生成部は、前記問い合わせ部によって取得された照合結果に基づいて、前記申込情報の少なくとも一部に基づく内容の定期券であって、発券機に翳すことで前記定期券が発券されるコードを表示するための情報を生成する。
【図面の簡単な説明】
【０００６】
【図１】実施形態の定期券発行システム１の全体構成の一例を示す模式図。
【図２】実施形態の発券機１００の構成の一例を示すブロック図。
【図３】実施形態の鉄道事業者側サーバ装置３００の機能構成の一例を示すブロック図。
【図４】実施形態の学校側サーバ装置４００の機能構成の一例を示すブロック図。
【図５】実施形態の定期券発行システム１による一連の処理の流れの一例を示すシーケンス図。
【図６】実施形態の学校情報データベース３１２のデータ構成の一例を示す図。
【図７】実施形態の住所情報データベース３１４のデータ構成の一例を示す図。
【図８】実施形態の申込者情報データベース４１２のデータ構成の一例を示す図。
【図９】実施形態の申込者側端末装置２００に表示される通学定期券購入用コード発行画面の一例を示す模式図。
【図１０】実施形態の申込者側端末装置２００に表示される２次元コード表示画面の一例を示す模式図。
【図１１】実施形態の発券機１００に表示される購入申請情報の入力／確認画面の一例を示す模式図。
【図１２】実施形態の発券機１００によって発行される通学定期券が登録されたＩＣカード１０の一例を示す模式図。
【発明を実施するための形態】
【０００７】
以下、実施形態の定期券発行管理装置、発券機、定期券発行システム、及び定期券発行方法を、図面を参照して説明する。
【０００８】
図１は、実施形態の定期券発行システム１の全体構成の一例を示す模式図である。定期券発行システム１は、交通機関等を利用する際に用いられる定期券を発行するシステムである。なお、本実施形態では、定期券発行システム１は、一例として鉄道の通学定期券を発行するシステムであるものとするが、これに限られるものではない。定期券発行システム１は、定期券の申込者の所属組織（例えば学校等）による、申込者に関する情報（例えば、申込者の氏名、住所、学校名等）についての証明を必要とする定期券を発行するシステムであるならば、鉄道以外の定期券を発行するシステムであってもよい。
【０００９】
定期券発行システム１は、例えば、少なくとも1つの発券機１００と、鉄道事業者側サーバ装置（定期券発行管理装置の一例）３００と、少なくとも1つの学校側サーバ装置（所属組織側管理装置の一例）４００とを備える。
【００１０】
発券機１００と鉄道事業者側サーバ装置３００、及び、申込者側端末装置２００と鉄道事業者側サーバ装置３００は、通信ネットワークＮＷ１を介して通信を行う。通信ネットワークＮＷ１は、例えば、インターネット、ＬＡＮ（Local Area Network；構内通信網）、ＷＡＮ（Wide Area Network）等を含む通信ネットワークである。また、申込者側端末装置２００と鉄道事業者側サーバ装置３００は、通信ネットワークＮＷ２を介して通信を行う。通信ネットワークＮＷ２は、例えば、専用線、ＶＰＮ（Virtual Private Network；仮想プライベートネットワーク）等を含む通信ネットワークである。
【００１１】
発券機１００は、例えば、鉄道の駅構内に設けられ、乗車券及び定期券（通学定期券を含む）を発行する。乗車券及び定期券は、例えばＩＣ（Integrated Circuit；集積回路）チップ等の電子部品が埋設されたＩＣカード１０や、券の表面あるいは裏面に磁気記録面を有する磁気券等を含む。本実施形態では、一例として、乗車券及び定期券がＩＣカード１０であるものとして説明する。
【００１２】
申込者側端末装置２００は、学生等が利用することができる端末装置である。申込者側端末装置２００は、例えば、スマートフォン、ノート型あるいはデスクトップ型のパーソナルコンピュータ等の情報処理装置である。なお、申込者側端末装置２００は、学生等が所持する端末装置であってもよいし、鉄道事業者又は学校等によって管理された端末装置であってもよい。
【００１３】
鉄道事業者側サーバ装置３００は、鉄道事業者の管轄下にあるサーバ装置である。
学校側サーバ装置４００は、学校（例えば、大学、高等学校、専門学校、及び中学校等）の管轄下にあるサーバ装置である。学校側サーバ装置４００は、例えば汎用コンピュータ等の情報処理装置である。なお、学校側サーバ装置４００は、学校によって管理されるサーバ装置に限られるものではなく、鉄道事業者又は第三者によって管理されるサーバ装置であってもよい。
【００１４】
以下、実施形態の発券機１００について説明する。図２は、実施形態の発券機１００の構成の一例を示すブロック図である。発券機１００は、例えば、タッチパネル部１１０と、カード挿入口１２０と、光学読取部１２１と、紙幣投入口１２２と、硬貨投入口１２４と、乗車券排出口１２６と、釣銭排出口１２８と、リーダライタ１３０と、エンコード／デコード部１３２と、コードリーダ１３３と、検銭部１３４と、乗車券発行部１３６と、釣銭部１３８と、発券機側通信部１４０と、発券機側制御部１５０と、発券機側記憶部１７０とを備える。
【００１５】
タッチパネル部１１０は、例えば、表示部１１２と、受付部１１４とを備える。表示部１１２は、発券機側制御部１５０によって出力される情報に基づいて、鉄道の利用者に乗車券及び定期券を購入させるための画像、ＩＣ（Integrated Circuit；集積回路）カードの発行又は再発行の登録を行うための画像等の各種画像を表示する。表示部１１２は、例えば、ＬＣＤ（Liquid Crystal Display；液晶ディスプレイ）や有機ＥＬ（Electro Luminescence）ディスプレイ等の表示装置を含む。なお、表示部１１２には、音声を出力するスピーカ等を設けてもよく、表示部１１２に表示される内容に対応した音声を出力してもよい。
【００１６】
受付部１１４は、鉄道の利用者からの入力操作を受け付ける。受付部１１４は、例えば、ボタン、キーボード、マウス、マイク等のユーザインターフェースを含んでよい。なお、表示部１１２がタッチパネルである場合、受付部１１４は、表示部１１２と一体として形成される。この場合、表示部１１２の画面は、ＧＵＩ（Graphical User Interface）として機能してよい。
【００１７】
カード挿入口１２０には、ＩＣカード１０が挿入される。ＩＣカード１０は、カード挿入口１２０に、電子マネーをチャージするために挿入されたり、定期券の利用区間や利用期間（有効期間）を更新するために挿入されたり、障害発生時に、ＩＣチップに記憶されたカード識別情報や個人情報、効力情報等を抽出するために挿入されたりする。
【００１８】
光学読取部１２１には、申込者側端末装置２００に表示された、例えばＱＲコード（登録商標）等の２次元コード、又は紙媒体等に印刷された２次元コードが翳される。光学読取部１２１は、ＣＣＤ（Charge Coupled Device；電荷結合素子）イメージセンサやＣＭＯＳ（Complementary Metal Oxide Semiconductor；相補型ＭＯＳ）等の固体撮像素子を備えたカメラを含む。光学読取部１２１は、申込者によって翳された２次元コードを撮像する。これにより、光学読取部１２１は、２次元コードを光学的に読み取る。光学読取部１２１は、撮像された画像をコードリーダ１３３へ出力する。
【００１９】
紙幣投入口１２２には、紙幣が投入される。硬貨投入口１２４には、硬貨が投入される。乗車券排出口１２６からは、乗車券が排出される。釣銭排出口１２８からは、釣銭のうち硬貨が排出される。なお、釣銭のうち紙幣は、紙幣投入口１２２から排出される。
【００２０】
リーダライタ１３０は、カード挿入口１２０に挿入されたＩＣカード１０と通信する。リーダライタ１３０は、例えばアンテナを備え、１３．５６［ＭＨｚ］等のＩＳＭ（Industry-Science-Medical）帯の周波数帯域を利用してＩＣカード１０と無線通信を行う。
【００２１】
エンコード／デコード部１３２は、例えば、リーダライタ１３０によってＩＣカード１０から読み取られた情報を復号して発券機側制御部１５０へ出力すると共に、発券機側制御部１５０により指示された情報を暗号化してリーダライタ１３０へ出力する。発券機側制御部１５０により指示された情報とは、例えば、電子マネーの残高から乗車券の購入金額を減算した情報である。リーダライタ１３０は、エンコード／デコード部１３２から入力された情報をＩＣカード１０に書き込む。これによって、ＩＣカード１０には、乗車券の購入金額分が減算された電子マネーの残高が書き込まれる。
【００２２】
また、例えば、申込者が、通学定期券の新規購入又は更新を行うために予め用意したＩＣカード１０をカード挿入口１２０に挿入し、タッチパネル部１１０を操作して通学定期券情報（例えば、利用区間、及び利用期間等）を入力した場合、リーダライタ１３０は、カード挿入口１２０に挿入されたＩＣカード１０から、カード識別情報を読み取ると共に、カード挿入口１２０に挿入されたＩＣカード１０のＩＣチップに、更新後の通学定期券情報を書き込む。
【００２３】
なお、リーダライタ１３０は、申込者がカード挿入口１２０に挿入したＩＣカード１０に通学定期券情報を書き込む代わりに、未だ発行されたことのない新規のＩＣカード１０に通学定期券情報を書き込んでもよい。
【００２４】
コードリーダ１３３は、光学読取部１２１により撮像された２次元コードの画像を取得し、２次元コードを解読する。コードリーダ１３３は、解読された情報を発券機側制御部１５０へ出力する。コードリーダ１３３は、例えば、受光素子、増幅器、及び情報解読部（デコード部）等を備える。この発券機側制御部１５０へ出力された情報は、受付部１１４のボタン等での入力操作によって変更できる。
【００２５】
検銭部１３４は、紙幣投入口１２２又は硬貨投入口１２４に投入された金銭を計数し、計数結果を発券機側制御部１５０へ出力する。
【００２６】
乗車券発行部１３６は、発券機側制御部１５０による制御によって、予めセットされた印紙に表示オブジェクトを画像として形成（印刷）する。例えば、乗車券発行部１３６は、熱転写方式やインクジェット方式で印紙に表示オブジェクトを形成する。乗車券発行部１３６は、表示オブジェクトを形成した印紙、すなわち乗車券を乗車券排出口１２６から排出する。これによって、乗車券発行部１３６は、乗車券を発行する。
【００２７】
また、乗車券発行部１３６は、発券機側制御部１５０による制御によって、カード挿入口１２０に挿入され、通学定期券情報等の定期券情報が書き込まれたＩＣカード１０、すなわち通学定期券等の定期券の表面や裏面に、通学定期券等の定期券の利用区間や利用期間等を表す画像を表示オブジェクトとして形成してもよい。
【００２８】
釣銭部１３８は、発券機側制御部１５０による制御によって、検銭部１３４により計数された金額と、乗車券（通学定期券等の定期券を含む）の購入金額との差分を算出し、算出した金額を釣銭排出口１２８から排出させる。
【００２９】
発券機側通信部１４０は、発券機側制御部１５０による制御によって、通信ネットワークＮＷ１を介して鉄道事業者側サーバ装置３００等と通信する。発券機側通信部１４０は、例えば、ＮＩＣ（Network Interface Card）等の通信インターフェースを含んでよいが、これに限定されるものではない。
【００３０】
発券機側制御部１５０は、例えば、発券機側通信制御部１５２と、発券機側表示制御部１５４と、発行制御部１５６とを備える。これらの機能部のうち一部又は全部は、例えばＣＰＵ（Central Processing Unit；中央演算処理装置）やＧＰＵ（Graphics Processing Unit）等のハードウェアプロセッサがプログラム（ソフトウェア）を実行することにより実現される。また、これらの構成要素のうち一部又は全部は、ＬＳＩ（Large Scale Integration；大規模集積回路）やＡＳＩＣ（Application Specific Integrated Circuit；特定用途向け集積回路）、ＦＰＧＡ（Field-Programmable Gate Array）等のハードウェア（回路部；circuitryを含む）によって実現されてもよいし、ソフトウェアとハードウェアの協働によって実現されてもよい。プログラムは、予め発券機側記憶部１７０に格納されていてもよいし、ＤＶＤ（Digital Versatile Disc）やＣＤ−ＲＯＭ等の着脱可能な記憶媒体に格納されており、その記憶媒体が発券機側制御部１５０のドライブ装置に装着されることで発券機側記憶部１７０にインストールされてもよい。
【００３１】
発券機側記憶部１７０は、例えば、ＲＯＭ（Read Only Memory；読み出し専用メモリ）、フラッシュメモリ、ＨＤＤ（Hard Disk Drive）、ＳＤＤ（Solid State Drive）、ＲＡＭ（Random Access Memory；読み書き可能なメモリ）、レジスタ等によって実現される。発券機側記憶部１７０は、プロセッサが実行するプログラムや、その他の処理結果等を格納する。
【００３２】
発券機側通信制御部１５２は、例えば、リーダライタ１３０がＩＣカード１０から読み取ったカード識別情報を、発券機側通信部１４０を介して鉄道事業者側サーバ装置３００へ出力する。また、発券機側通信制御部１５２は、発券機側通信部１４０を介して鉄道事業者側サーバ装置３００から各種情報を取得してもよい。
【００３３】
発券機側表示制御部１５４は、例えば、通学定期券等を購入するための画面を表示部１１２に表示させる。発券機側表示制御部１５４は、例えば、コードリーダ１３３によって解読された２次元コードに基づいて、通学定期券等を購入するための画面（通学定期券情報の入力／購入画面）を表示部１１２に表示させる。購入申請情報の入力／確認画面の一例については後述する。
【００３４】
発行制御部１５６は、乗車券発行部１３６に乗車券を発行させる。例えば、発行制御部１５６は、カード挿入口１２０にＩＣカード１０が挿入され、受付部１１４によって通学定期券の購入操作が受け付けられ、紙幣投入口１２２や硬貨投入口１２４に貨幣が投入された場合、検銭部１３４に金銭を計数させ、その金銭の合計額が購入金額以上である場合、リーダライタ１３０を制御して、カード挿入口１２０に挿入されたＩＣカード１０に、通学定期券情報を書き込ませる。そして、発行制御部１５６は、乗車券発行部１３６に、通学定期券情報が書き込まれたＩＣカード１０の表面或いは裏面に、通学定期間の利用区間や利用期間等を表す画像を形成させ、そのＩＣカード１０を、通学定期券として発行させる。発行されるＩＣカード１０の一例については後述する。
【００３５】
また、発行制御部１５６は、検銭部１３４に計数された金銭の合計額が購入金額に満たない場合、購入金額の不足分を、リーダライタ１３０により読み取られたＩＣカード１０の電子マネーのチャージ残高から減算して、乗車券発行部１３６に通学定期券を発行させてもよい。
【００３６】
以下、実施形態の鉄道事業者側サーバ装置３００について説明する。図３は、実施形態の鉄道事業者側サーバ装置３００の機能構成の一例を示すブロック図である。鉄道事業者側サーバ装置３００は、例えば、鉄道事業者側記憶部３１０と、鉄道事業者側通信部３２０と、鉄道事業者側制御部３５０とを備える。
【００３７】
鉄道事業者側記憶部３１０は、例えば、学校情報データベース３１２と、住所情報データベース３１４とを記憶する。学校情報データベース３１２は、学校と、当該学校の最寄り駅（以下、「学校最寄り駅」という。）と、が互いに対応付けられるデータベースである。住所情報データベース３１４は、住所と、当該住所の最寄り駅（以下、「住所最寄り駅」という。）と、が互いに対応付けられるデータベースである。鉄道事業者側記憶部３１０は、例えば、ＲＯＭ、フラッシュメモリ、ＨＤＤ、ＳＤＤ、ＲＡＭ、レジスタ等によって実現される。鉄道事業者側記憶部３１０は、プロセッサが実行するプログラムや、その他の処理結果等を格納する。
【００３８】
鉄道事業者側通信部３２０（第１通信部）は、鉄道事業者側制御部３５０による制御によって、通信ネットワークＮＷ１を介して発券機１００又は申込者側端末装置２００と通信する。また、鉄道事業者側通信部３２０は、鉄道事業者側制御部３５０による制御によって、通信ネットワークＮＷ２を介して学校側サーバ装置４００と通信する。鉄道事業者側通信部３２０は、例えば、ＮＩＣ等の通信インターフェースを含んでよいが、これに限定されるものではない。
【００３９】
鉄道事業者側制御部３５０は、例えば、鉄道事業者側通信制御部３５２と、問い合わせ部３５４と、コード生成部３５６とを備える。これらの機能部のうち一部又は全部は、例えばＣＰＵやＧＰＵ等のハードウェアプロセッサがプログラム（ソフトウェア）を実行することにより実現される。また、これらの構成要素のうち一部又は全部は、ＬＳＩやＡＳＩＣ、ＦＰＧＡ等のハードウェア（回路部を含む）によって実現されてもよいし、ソフトウェアとハードウェアの協働によって実現されてもよい。プログラムは、予め鉄道事業者側記憶部３１０に格納されていてもよいし、ＤＶＤやＣＤ−ＲＯＭ等の着脱可能な記憶媒体に格納されており、その記憶媒体が鉄道事業者側制御部３５０のドライブ装置に装着されることで鉄道事業者側記憶部３１０にインストールされてもよい。
【００４０】
鉄道事業者側通信制御部３５２は、申込者側端末装置２００により申込者によって入力された申込情報を、申込者側端末装置２００から通信ネットワークＮＷ１を介して取得する。申込情報とは、申込者が通学定期券を購入するために鉄道事業者に対して提供する情報である。申込情報には、例えば、申込者の氏名、申込者の住所、申込者が通学する学校の学校名等が含まれる。
【００４１】
問い合わせ部３５４は、鉄道事業者側通信制御部３５２によって取得された申込情報に含まれる学校名に基づいて、申込者が通学する学校を特定する。問い合わせ部３５４は、特定された学校に対応する学校側サーバ装置４００に対して、申込情報が正しいか否かについての問い合わせを行う。申込情報が正しいか否かを問い合わせることとは、すなわち、申込情報を入力した学生等が、申込情報に含まれる学校名の学校に在籍しており、申込情報に含まれる氏名及び住所等の情報が、学校において管理されている当該学生等に関する情報と一致しているか否かについて問い合わせることである。
【００４２】
問い合わせ部３５４は、特定された学校に対応する学校側サーバ装置４００へ、申込情報の少なくとも一部を、鉄道事業者側通信制御部３５２に送信させることによって問い合わせを行う。学校側サーバ装置４００へ送信される情報とは、例えば、申込者の氏名、及び申込者の住所等である。また、問い合わせ部３５４は、上記問い合わせの結果を示す問い合わせ結果情報を、学校側サーバ装置４００から鉄道事業者側通信制御部３５２を介して取得する。問い合わせ結果情報は、学校側サーバ装置４００により送信される、例えば、申込者の氏名、及び申込者の住所等の申込情報が、正しいか否かを示す情報である。
【００４３】
コード生成部３５６は、申込情報が正しいことを示す問い合わせ結果情報を問い合わせ部３５４が取得した場合、申込情報の少なくとも一部に基づいて２次元コードを生成する。２次元コードの生成に用いられる申込情報とは、例えば、申込者の氏名、申込者の住所、及び申込者が通学する学校の学校名等である。コード生成部３５６は、鉄道事業者側記憶部３１０に記憶された学校情報データベース３１２を参照し、申込情報に含まれる学校名の学校に対応する少なくとも１つの学校最寄り駅を示す情報を取得する。また、コード生成部３５６は、鉄道事業者側記憶部３１０に記憶された住所情報データベース３１４を参照し、申込情報に含まれる申込者の住所に対応する少なくとも１つの住所最寄り駅を示す情報を取得する。コード生成部３５６は、例えば、申込情報に含まれる申込者の氏名、学校最寄り駅、及び住所最寄り駅等に基づいて２次元コードを生成する。コード生成部３５６は、生成された２次元コードを示す情報を、鉄道事業者側通信制御部３５２を介して申込者側端末装置２００へ出力する。
【００４４】
以下、実施形態の学校側サーバ装置４００について説明する。図４は、実施形態の学校側サーバ装置４００の機能構成の一例を示すブロック図である。学校側サーバ装置４００は、例えば、学校側記憶部４１０と、学校側通信部４２０と、学校側制御部４５０とを備える。
【００４５】
学校側記憶部４１０は、例えば、申込者情報データベース４１２を記憶する。申込者情報データベース４１２は、学校等に所属する所属者の氏名と、所属者の住所とが互いに対応付けられるデータベースである。学校側記憶部４１０は、例えば、ＲＯＭ、フラッシュメモリ、ＨＤＤ、ＳＤＤ、ＲＡＭ、レジスタ等によって実現される。学校側記憶部４１０は、プロセッサが実行するプログラムや、その他の処理結果等を格納する。
【００４６】
学校側通信部４２０（第２通信部）は、学校側制御部４５０による制御によって、通信ネットワークＮＷ２を介して鉄道事業者側サーバ装置３００と通信する。学校側通信部４２０は、例えば、ＮＩＣ等の通信インターフェースを含んでよいが、これに限定されるものではない。
【００４７】
学校側制御部４５０は、例えば、学校側通信制御部４５２と、照合部４５４とを備える。これらの機能部のうち一部又は全部は、例えばＣＰＵやＧＰＵ等のハードウェアプロセッサがプログラム（ソフトウェア）を実行することにより実現される。また、これらの構成要素のうち一部又は全部は、ＬＳＩやＡＳＩＣ、ＦＰＧＡ等のハードウェア（回路部を含む）によって実現されてもよいし、ソフトウェアとハードウェアの協働によって実現されてもよい。プログラムは、予め学校側記憶部４１０に格納されていてもよいし、ＤＶＤやＣＤ−ＲＯＭ等の着脱可能な記憶媒体に格納されており、その記憶媒体が学校側制御部４５０のドライブ装置に装着されることで学校側記憶部４１０にインストールされてもよい。
【００４８】
学校側通信制御部４５２は、鉄道事業者側サーバ装置３００により送信され、学校側通信部４２０により受信された、上記申込情報の少なくとも一部を、通信ネットワークＮＷ２を介して取得する。学校側通信制御部４５２が取得する申込情報は、上述したように、例えば、申込者の氏名、及び申込者の住所等である。
【００４９】
照合部４５４は、学校側通信制御部４５２により申込情報が取得されると、当該申込情報と、自装置の学校側記憶部４１０に記憶された申込者情報データベース４１２の情報とが、一致しているかを照合する。照合部４５４は、例えば、申込者を識別する情報（例えば氏名）を検索キーとして照合を行う。照合部４５４は、例えば、取得された申込情報に含まれる氏名と学校情報データベース３１２に含まれる氏名とを照合することによって、当該申込情報を入力した申込者が在籍しているか否か（所属者であるか否か）を判定する。そして、当該申込者が在籍していると判定された場合、照合部４５４は、例えば、取得された申込情報に含まれる住所と学校情報データベース３１２に含まれる当該申込者の住所とを照合することによって、当該申込者の住所が正しいか否かを判定する。照合部４５４は、判定の結果を示す問い合わせ結果情報を、学校側通信制御部４５２を介して、学校側通信部４２０により鉄道事業者側サーバ装置３００へ送信する。
【００５０】
学校側サーバ装置４００は、申込者情報データベース４１２を内部に個人情報として保持し、これを用いた外部への応答としては鉄道事業者側サーバ装置３００からの問い合わせに応じて照合結果を返すのみであり、申込者情報データベース４１２を公開しないようにセキュリティが確保されている。これによって、個人情報の保護と、効率的な定期券の発行とを同時に達成することができる。
また、これに関連し、ネットワークＮＷ２は、不正な行動によるデータ漏洩が生じにくいネットワーク（例えば前述した、専用線、ＶＰＮ等を含む通信ネットワーク）であると好適である。
【００５１】
以下、実施形態の定期券発行システム１による一連の処理の流れについて説明する。図５は、実施形態の定期券発行システム１による一連の処理の流れの一例を示すシーケンス図である。図５に示すシーケンス図は、申込者によって入力された申込情報等に基づいて２次元コードが生成され、当該２次元コードに基づいて通学定期券が発行されるまでの各装置の流れを表している。
【００５２】
まず、学生等の申込者は、申込者側端末装置２００を操作して、通学定期券を購入するための申込情報を入力する（ステップＳ１００）。申込者側端末装置２００は、入力された申込情報を、通信ネットワークＮＷ１を介して鉄道事業者側サーバ装置３００へ出力する（ステップＳ１０２）。
【００５３】
鉄道事業者側サーバ装置３００は、申込者側端末装置２００により出力された申込情報を取得する。鉄道事業者側サーバ装置３００は、取得した申込情報に含まれる情報（例えば学校名）に基づいて、申込情報を入力した申込者が通学する学校を特定する（ステップＳ１０４）。鉄道事業者側サーバ装置３００は、特定された学校に対応する学校側サーバ装置４００へ、申込情報の少なくとも一部（例えば、申込者の氏名、及び申込者の住所）を、通信ネットワークＮＷ２を介して出力する。これにより、鉄道事業者側サーバ装置３００は、学校側サーバ装置４００に対して申込情報が正しいか否かについての問い合わせを行う（ステップＳ１０６）。
【００５４】
学校側サーバ装置４００は、鉄道事業者側サーバ装置３００により出力された、申込情報の少なくとも一部を取得する。学校側サーバ装置４００は、取得した申込情報の一部と、自己の学校側サーバ装置４００に記憶された申込者情報データベース４１２に含まれる情報（例えば、所属者の氏名、及び申込者の住所）とを照合する（ステップＳ１０８）。学校側サーバ装置４００は、照合結果に基づく問い合わせ結果情報を、通信ネットワークＮＷ２を介して鉄道事業者側サーバ装置３００へ出力する（ステップＳ１１０）。
【００５５】
鉄道事業者側サーバ装置３００は、学校側サーバ装置４００により出力された問い合わせ結果情報を取得する。鉄道事業者側サーバ装置３００は、申込情報が正しいことを示す問い合わせ結果情報を学校側サーバ装置４００から取得した場合、申込情報の少なくとも一部に基づく２次元コードを生成する（ステップＳ１１２）。鉄道事業者側サーバ装置３００は、例えば、申込情報に含まれる氏名と、申込情報に含まれる学校名（所属組織名）と学校情報データベース３１２（所属組織情報データベース）とに基づいて得られる学校最寄り駅（所属組織最寄り駅）と、申込情報に含まれる住所と住所情報データベース３１４とに基づいて得られる住所最寄り駅とに基づいて２次元コードを生成する。
【００５６】
なお、申込情報が正しくないことを示す問い合わせ結果情報を学校側サーバ装置４００から取得した場合には、２次元コードを生成しない。なお、申込情報が正しくない場合とは、例えば、申込情報に含まれる氏名と同一の氏名が申込者情報データベース４１２に存在しない場合や、申込情報に含まれる住所と申込者情報データベース４１２に含まれる住所とが一致しない場合等である。鉄道事業者側サーバ装置３００は、生成された２次元コードを示す情報を、通信ネットワークＮＷ１を介して申込者側端末装置２００へ出力する（ステップＳ１１４）。
【００５７】
申込者側端末装置２００は、鉄道事業者側サーバ装置３００により出力された２次元コードを示す情報を取得する。申込者側端末装置２００は、取得した情報に基づく２次元コードを表示部１１２に表示させる（ステップＳ１１６）。そして、申込者は、発券機１００がある所まで申込者側端末装置２００を持っていき、表示部１１２に表示された２次元コードを、発券機１００の光学読取部１２１に翳す。これにより、表示部１１２に表示された２次元コードが、発券機１００によって読み取られる（ステップＳ１１８）。
【００５８】
発券機１００は、２次元コードを読み取り、解読することによって得られた情報に基づいて、通学定期券を購入するための画面（購入申請情報の入力／確認画面）を表示部１１２に表示させる（ステップＳ１２０）。申込者は、表示された画面を参照し、発券機１００を操作し、通学定期券の購入手続きを行う。これにより、通学定期券が発行される。以上で図５のシーケンス図が示す一連の処理が終了する。
【００５９】
以下、実施形態の学校情報データベース３１２のデータ構成について説明する。図６は、実施形態の学校情報データベース３１２のデータ構成の一例を示す図である。学校情報データベース３１２は、学校と当該学校の最寄り駅（学校最寄り駅）とが互いに対応付けられるデータベースである。学生等は、学校情報データベース３１２において、通学する学校に対応付けられた少なくとも１つの学校最寄り駅のいずれかに限り、通学定期券の利用区間における一方の末端の駅として指定することができる。学校と学校最寄り駅との対応付けは、例えば、予め鉄道事業者によって行われる。
【００６０】
図６に示すように、学校情報データベース３１２のデータ構成は、例えば、「学校ＩＤ」、「学校名」、「最寄り駅１」、及び「最寄り駅２」等の項目が互いに対応付けられた、２次元の表形式のデータ構成である。
【００６１】
「学校ＩＤ」の項目には、学校を一意に識別するＩＤ（Identifier；識別子）を示す情報が格納される。「学校名」の項目には、学校の名称を示す情報が格納される。「最寄り駅１」の項目には、学校最寄り駅を示す情報が格納される。「最寄り駅２」の項目には、学校最寄り駅が２つある場合に、「最寄り駅１」の項目に格納された学校最寄り駅とは異なる学校最寄り駅を示す情報が格納される。
【００６２】
なお、学校最寄り駅が１つしかない場合には、「最寄り駅２」の項目には情報が格納されない。例えば、図６に示すように、「学校名」の項目に「ＹＹＹ高校」という情報が格納されたデータにおいて、「最寄り駅２」の項目には情報が格納されていない。これは、ＹＹＹ高校には学校最寄り駅が１つ（「ＤＤＤ駅」のみ）しかないことを示している。なお、学校最寄り駅が３つ以上ある学校が存在する場合には、学校情報データベース３１２のデータ構成は、「最寄り駅３」等の項目がさらに追加されたデータ構成になる。
【００６３】
以下、実施形態の住所情報データベース３１４のデータ構成について説明する。図７は、実施形態の住所情報データベース３１４のデータ構成の一例を示す図である。住所情報データベース３１４は、住所と当該住所の最寄り駅（住所最寄り駅）とが互いに対応付けられるデータベースである。学生等は、住所情報データベース３１４において、自身の住所に対応付けられた少なくとも１つの住所最寄り駅のいずれかに限り、定期券の利用区間における、もう一方の末端の駅として指定することができる。住所と住所最寄り駅との対応付けは、例えば、予め鉄道事業者によって行われる。
【００６４】
図７に示すように、住所情報データベース３１４のデータ構成は、例えば、「住所」、「最寄り駅１」、及び「最寄り駅２」等の項目が互いに対応付けられた、２次元の表形式のデータ構成である。図７に示すように、「住所」の項目は更に「都道府県名」、「市区町村」、及び「番地」等の項目に細分化されていてもよい。
【００６５】
「住所」の項目には、住所を示す情報が格納される。「最寄り駅１」の項目には、ある住所の住所最寄り駅を示す情報が格納される。「最寄り駅２」の項目には、ある住所において住所最寄り駅が２つある場合に、「最寄り駅１」の項目に格納された住所最寄り駅とは異なる住所最寄り駅を示す情報が格納される。
【００６６】
なお、１つの住所に住所最寄り駅が１つしかない場合には、「最寄り駅２」の項目には情報が格納されない。例えば、図７に示すように、「都道府県名」、「市区町村名」、及び「番地」の項目にそれぞれ「ＷＸ県」、「ＹＺ市」、及び「２丁目」という情報が格納されたデータにおいて、「最寄り駅２」の項目には情報が格納されていない。これは、「ＷＸ県  ＹＺ市  ２丁目」という住所には住所最寄り駅が１つ（「ＡＢＣ駅」のみ）しかないことを示している。なお、住所最寄り駅が３つ以上ある住所が存在する場合には、住所情報データベース３１４のデータ構成は、「最寄り駅３」等の項目がさらに追加されたデータ構成になる。
【００６７】
以下、実施形態の申込者情報データベース４１２のデータ構成について説明する。図８は、実施形態の申込者情報データベース４１２のデータ構成の一例を示す図である。申込者情報データベース４１２は、学校等の所属者の氏名と、所属者の住所とが互いに対応付けられるデータベースである。なお、所属者の氏名の代わりに、所属者を識別することができるその他の情報（例えば、所属者ＩＤ等）と住所とが互いに対応付けられていてもよい。申込者情報データベース４１２に登録されたデータは、例えば、予めそれぞれの学校によって管理されている。
【００６８】
図８に示すように、申込者情報データベース４１２のデータ構成は、例えば、「氏名」及び「住所」等の項目が互いに対応付けられた、２次元の表形式のデータ構成である。「氏名」の項目には、所属者の氏名を示す情報が格納される。「住所」の項目には、所属者の住所を示す情報が格納される。
【００６９】
以下、実施形態の申込者側端末装置２００に表示される通学定期券購入用コード発行画面について説明する。図９は、実施形態の申込者側端末装置２００に表示される通学定期券購入用コード発行画面の一例を示す模式図である。図９に示すように、通学定期券購入用コード発行画面は、申込者側端末装置２００のタッチパネル部２１０に表示される。通学定期券購入用コード発行画面には、申込者に申込情報を入力させる入力フォームを表示する表示領域Ａ１０と、「送信」ボタンＢ２０とが含まれる。
【００７０】
申込者によって、入力フォームに、例えば氏名、住所、及び学校又は学校ＩＤ等の申込情報が入力され、「送信」ボタンＢ２０が選択（タッチ）されることによって、入力フォームに入力された申込情報が通信ネットワークＮＷ１を介して鉄道事業者側サーバ装置３００へ出力される。
【００７１】
以下、実施形態の実施形態の申込者側端末装置２００に表示される２次元コード表示画面について説明する。図１０は、実施形態の申込者側端末装置２００に表示される２次元コード表示画面の一例を示す模式図である。図１０に示すように、２次元コード表示画面は、申込者側端末装置２００のタッチパネル部２１０に表示される。２次元コード表示画面には、２次元コードＢＣを表示する表示領域Ａ２１と、「戻る」ボタンＢ２１とが含まれる。「戻る」ボタンＢ２１が選択（タッチ）された場合、図９に示した通学定期券購入用コード発行画面へ再び画面遷移する。
【００７２】
以下、実施形態の実施形態の発券機１００に表示される購入申請情報の入力／確認画面について説明する。図１１は、実施形態の発券機１００に表示される購入申請情報の入力／確認画面の一例を示す模式図である。図１０に示すように、購入申請情報の入力／確認画面は、発券機１００のタッチパネル部１１０に表示される。購入申請情報の入力／確認画面には、申込者に氏名を確認させるための情報が表示される表示領域Ａ１０と、申込者に購入申請情報を入力させるための入力フォームを表示する表示領域Ａ１１と、「確定」ボタンＢ１０とが含まれる。
【００７３】
申込者によって、入力フォームに、例えば、新規定期券か継続定期券かを示す情報、利用区間、利用開始日、利用期間、支払方法等の購入申請情報が入力され、「確定」ボタンＢ１０が選択（タッチ）されることによって、入力フォームに入力された購入申請情報が通信ネットワークＮＷ１を介して鉄道事業者側サーバ装置３００へ出力される。
【００７４】
以下、実施形態の発券機１００によって発行される通学定期券が登録されたＩＣカード１０について説明する。図１２は、実施形態の発券機１００によって発行される通学定期券が登録されたＩＣカード１０の一例を示す模式図である。図１２に示すように、ＩＣカード１０の表面には、例えば、利用区間を示す情報「ＡＢＣ駅」と「ＡＡＡ駅」と「経由：ＬＭＮ駅」、利用期間を示す情報「４月１日から２０１８．９．３０まで」、定期券の料金「１２３００円」、申込者の氏名「トッキョ  タロウ  様」等の情報を示す画像が形成（印刷）される。このように、ＩＣカード１０の表面には、申込者側端末装置２００によって申込者により入力された申込情報、及び発券機１００によって申込者により入力された購入申請情報等に基づく通学定期券情報を示す画像が形成（印刷）される。
【００７５】
なお、上記実施形態では、申込者側端末装置２００のタッチパネル部２１０に表示された２次元コードが、発券機１００の光学読取部１２１に翳されるものとしたが、これに限られるものではない。例えば、申込者が、申込者側端末装置２００に表示された２次元コードの画像を印刷し、例えば紙媒体等に印刷された２次元コードの画像が発券機１００の光学読取部１２１に翳されてもよい。
【００７６】
なお、上記実施形態では、鉄道事業者側サーバ装置３００のコード生成部３５６によって、申込情報に基づく２次元コードが生成されるものとしたが、これに限られるものではない。２次元コードの代わりに、申込情報に基づく１次元コード、又はテキスト情報等が生成されてもよい。
【００７７】
なお、上記実施形態では、鉄道事業者側サーバ装置３００が、学校最寄り駅及び住所最寄り駅を特定するためのデータベース（学校情報データベース３１２、及び住所情報データベース３１４）を記憶しているものとしたが、これに限られるものではない。学校側サーバ装置４００に記憶された申込者情報データベース４１２に、所属者ごとの学校最寄り駅及び住所最寄り駅が記憶されていてもよい。
【００７８】
なお、本実施形態における「通信」には、サーバ内通信も含まれる。この場合、例えば共有メモリに書き込むような動作が、当該通信における「送信」に相当する。
【００７９】
以上説明した少なくとも１つの実施形態によれば、鉄道事業者側サーバ装置３００（定期券発行管理装置）は、鉄道事業者側通信部３２０（第１通信部）と、問い合わせ部３５４と、コード生成部３５６と、を持つ。問い合わせ部３５４は、通学定期券（定期券）の申込者から取得した申込情報に基づいて特定された、申込者が所属する学校等（申込者の所属組織）に対応する学校側サーバ装置４００（所属組織側管理装置）に対して、申込情報の少なくとも一部を鉄道事業者側通信部３２０に送信させ、送信した情報の照合結果を、鉄道事業者側通信部３２０を介して学校側サーバ装置４００から取得する。コード生成部３５６は、問い合わせ部３５４によって取得された照合結果に基づいて、申込情報の少なくとも一部に基づく内容の通学定期券であって、発券機１００に翳すことで通学定期券が発券される２次元コード（コード）を表示するための情報を生成する。
【００８０】
上記の構成により、申込者が所属する学校によって証明がなされた、通学定期券の購入のために必要となる情報（例えば、学生等の氏名、居住地、及び通学先等）に基づく２次元コードが発行される。これにより、実施形態の定期券発行システム１は、申込者による駅員への通学証明書の提示、及び駅員による通学証明書の照合作業を省くことができるため、定期券の発行処理を効率化することができる。また、学校側の内部ホームページに必要なプログラムを載せて２次元コードを発券する方法もある。この方法によれば、アクセス箇所が学校内ＰＣのみとなる。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１…定期券発行システム、１０…ＩＣカード、１００…発券機、１１０…タッチパネル部、１１２…表示部、１１４…受付部、１２０…カード挿入口、１２１…光学読取部、１２２…紙幣投入口、１２４…硬貨投入口、１２６…乗車券排出口、１２８…釣銭排出口、１３０…リーダライタ、１３２…エンコード／デコード部、１３３…コードリーダ、１３４…検銭部、１３６…乗車券発行部、１３８…釣銭部、１４０…発券機側通信部、１５０…発券機側制御部、１５２…発券機側通信制御部、１５４…発券機側表示制御部、１５６…発行制御部、１７０…発券機側記憶部、２００…申込者側端末装置、２１０…タッチパネル部、３００…鉄道事業者側サーバ装置、３１０…鉄道事業者側記憶部、３１２…学校情報データベース、３１４…住所情報データベース、３２０…鉄道事業者側通信部、３５０…鉄道事業者側制御部、３５２…鉄道事業者側通信制御部、３５４…問い合わせ部、３５６…コード生成部、４００…学校側サーバ装置、４１０…学校側記憶部、４１２…申込者情報データベース、４２０…学校側通信部、４５０…学校側制御部、４５２…学校側通信制御部、４５４…照合部
【図１】
2020067745.tif 000003
【図２】
2020067745.tif 000004
【図３】
2020067745.tif 000005
【図４】
2020067745.tif 000006
【図５】
2020067745.tif 000007
【図６】
2020067745.tif 000008
【図７】
2020067745.tif 000009
【図８】
2020067745.tif 000010
【図９】
2020067745.tif 000011
【図１０】
2020067745.tif 000012
【図１１】
2020067745.tif 000013
【図１２】
2020067745.tif 000014